(57)【要約】【課題】  本発明は、今まで個々に壁に取り付けていたために汚れやすく、清掃性も悪かった浴室の収納棚に対して、使い勝手を向上させながら収納棚や収納物にシャワー等の飛沫がかかりにくく汚れにくい、そして壁の清掃性も良い浴室ユニットを提供する。【解決手段】  本発明では、壁の天井近傍または天井面に吊り下げ部材を取り付け、その吊り下げ部材に係合されて垂下される縦バーと、縦バーに取り付けられた複数個の棚ならびにタオル掛けにより構成された吊り下げ型の収納棚とした。【選択図】  図１
2009226020.tif 000002
【特許請求の範囲】
【請求項１】
床、壁、浴槽、天井によって形成された浴室ユニットであって、壁の天井近傍に取り付けた吊り下げ部材と、前記吊り下げ部材に係合され垂下される縦バーと、前記縦バーに取り付けられた複数個の棚ならびにタオル掛けにより構成された吊り下げ型収納棚と、を備えたことを特徴とする浴室ユニット。
【請求項２】
床、壁、浴槽、天井によって形成された浴室ユニットにおいて、天井に取り付けた吊り下げ部材と、前記吊り下げ部材に係合され垂下される縦バーと、前記縦バーに取り付けられた複数個の棚ならびにタオル掛けにより構成された吊り下げ型収納棚と、を備えたことを特徴とする浴室ユニット。
【請求項３】
天井に固定されたレールと、前記レールを軌道としてスライドするランナーを備え、前記ランナーに吊り下げ部材を取り付け、前記吊り下げ部材に係合され垂下される縦バーと、前記縦バーに取り付けられた複数個の棚ならびにタオル掛けにより構成された吊り下げ型収納棚と、を備えたことを特徴とする浴室ユニット。
【請求項４】
天井に固定されたベースと、前記ベースを中心として水平面内を回動するアームを備え、前記アームのベース側とは反対側の端に吊り下げ部材を取り付け、前記吊り下げ部材に係合され垂下される縦バーと、前記縦バーに取り付けられた複数個の棚ならびにタオル掛けにより構成された吊り下げ型収納棚と、を備えたことを特徴とする浴室ユニット。
【請求項５】
前記縦バーの揺れを防止する下部サポートを備えたことを特徴とする請求項１〜４のいずれかに記載の浴室ユニット。
【請求項６】
前記縦バーに取り付けられた棚およびタオル掛けが上下方向に高さ調整可能に構成されたことを特徴とする請求項１〜５のいずれかに記載の浴室ユニット。
【請求項７】
前記縦バーに取り付けられた棚およびタオル掛けが縦バーを中心に水平方向に回転可能に構成されたことを特徴とする請求項１〜６のいずれかに記載の浴室ユニット。
【発明の詳細な説明】
【技術分野】
【０００１】
本発明は、浴室ユニットの使い勝手ならびに清掃性を向上させるための収納棚に関する。
【背景技術】
【０００２】
主に住宅などに採用される浴室ユニットでは、入浴時に使用するシャンプーやリンス、洗顔料などの容器、髭剃りや歯ブラシなどの小物、清掃時に使用する洗剤やスポンジなどを置くため、収納棚を設置することが一般的となっている。そしてその収納棚は、浴室ユニットの発注時に入浴者の使い方に応じて数の増減や設置位置の選定が可能となっていた。
【０００３】
一方、特許文献１のように、発注時ではなく使用開始後に数の増減や設置位置の選定が可能となるような提案もなされている。
【０００４】
しかし、収納棚の設置場所は当然の如く入浴動作の邪魔になりにくいことが条件となるため、浴室洗い場の壁のコーナー部や、鏡の下など比較的風通しの悪い場所に設置されることが多い。つまり、このような収納棚を壁に設置してシャンプーをはじめとする入浴アイテムを保管することは、棚のみならず入浴アイテムの容器の慢性的な湿潤と汚れを招き、ひいてはヌメリやカビの温床となることが指摘されている。
【０００５】
さらに収納棚は、壁に固定されて使用される性格上、立って洗髪や洗体する入浴者と、座って洗髪や洗体する入浴者の双方で使い勝手の良い位置に設置することとなる。つまり、立って洗髪・洗体する場合には収納棚は低め、座って洗髪・洗体する場合には収納棚は高めに位置することになる。ということは、立って洗髪・洗体する場合にはより多くの飛沫が収納棚やそれに置かれた入浴アイテムに降りかかることとなる。さらに洗髪・洗体時の飛沫には皮脂などが多く含まれるため、前記ヌメリやカビの栄養源となることは言うまでもない。
【０００６】
そのような収納棚あるいは収納棚の支持材が壁に固定設置されているため、収納棚そのもののみならず、飛沫がかかって汚れた壁の清掃性も悪化させていた。
【特許文献１】特開２００３−９７０６９号公報
【発明の開示】
【発明が解決しようとする課題】
【０００７】
本発明は、このような状況を鑑みて、使い勝手を向上させながら収納棚や収納物に飛沫がかかりにくく汚れにくい、そして壁の清掃性も良い浴室ユニットを提供することを目的としている。
【課題を解決するための手段】
【０００８】
本発明の一態様によれば、床、壁、浴槽、天井によって形成された浴室ユニットであって、壁の天井近傍に取り付けた吊り下げ部材と、前記吊り下げ部材に係合され垂下される縦バーと、前記縦バーに取り付けられた複数個の棚ならびにタオル掛けにより構成された吊り下げ型収納棚と、を備えたことを特徴とする。
【０００９】
また、本発明の一態様によれば、床、壁、浴槽、天井によって形成された浴室ユニットにおいて、天井に取り付けた吊り下げ部材と、前記吊り下げ部材に係合され垂下される縦バーと、前記縦バーに取り付けられた複数個の棚ならびにタオル掛けにより構成された吊り下げ型収納棚と、を備えたことを特徴とする。
【００１０】
また、本発明の一態様によれば、天井に固定されたレールと、前記レールを軌道としてスライドするランナーを備え、前記ランナーに吊り下げ部材を取り付け、前記吊り下げ部材に係合され垂下される縦バーと、前記縦バーに取り付けられた複数個の棚ならびにタオル掛けにより構成された吊り下げ型収納棚と、を備えたことを特徴とする。
【００１１】
また、本発明の一態様によれば、天井に固定されたベースと、前記ベースを中心として水平面内を回動するアームを備え、前記アームのベース側とは反対側の端に吊り下げ部材を取り付け、前記吊り下げ部材に係合され垂下される縦バーと、前記縦バーに取り付けられた複数個の棚ならびにタオル掛けにより構成された吊り下げ型収納棚と、を備えたことを特徴とする。
【００１２】
また、本発明の好ましい態様によれば、前記縦バーの揺れを防止する下部サポートを備えたことを特徴とする。
【００１３】
また、本発明の好ましい態様によれば、前記縦バーに取り付けられた棚およびタオル掛けが上下方向に高さ調整可能に構成されたことを特徴とする。
【００１４】
また、本発明の好ましい態様によれば、前記縦バーに取り付けられた棚およびタオル掛けが縦バーを中心に水平方向に回転可能に構成されたことを特徴とする。
【発明の効果】
【００１５】
本発明に係る浴室ユニットは、壁に取り付ける部材シャワーの飛沫が及ばない壁の上部であったり、壁にまったく部材を取り付けること無しに収納棚を構成することが可能なため、収納棚が壁に接触せず、壁が汚れにくいのは当然、清掃性も格段に向上させることができる。
【００１６】
さらに好ましくは、吊り下げ型収納棚を浴室内で水平方向に移動可能とすることにより、使用者の都合に応じて吊り下げ位置を選択可能とするとともに、非入浴時には水切れや風通しの良い位置にすることでヌメリやカビの発生を抑制することが可能となる。
【００１７】
さらに好ましくは、吊り下げ型収納棚の揺れや傾きを防止することにより、または棚ならびにタオル掛けの高さを自在に調節可能とすることで、または棚ならびにタオル掛けを縦バーを軸として回転可能とすることにより、さらなる使い勝手の向上を図ることが可能となる。
【発明を実施するための最良の形態】
【００１８】
本発明に係る浴室ユニットの収納棚の構成について、添付図面を参照して説明する。図１は本発明に係る浴室ユニットの１つの実施の形態を表している。図１に示すようにこの浴室ユニット０は、床排水口１ａを備えた床１とその周囲に立設された壁３ならびに浴室ドア５、そしてその上に載せられた天井４で躯体構造をなし、さらにその床の上に載置された浴槽２から構成されている。
【００１９】
壁３の上部、天井４の近傍には、壁裏補強材１６ｂを裏打ちして吊り下げ部材１０ｂが強固に取り付けられている。吊り下げ部材１０ｂの先端下部には縦バー１１が取り外し可能な方法によって結合垂下され、その縦バー１１には、上から順にタオル掛け１３、上部棚１２、下部棚１２’が取り付けられることで吊り下げ型収納棚９が構成されている。なお、吊り下げ部材１０ｂと縦バー１１の結合方法は剛体結合ではなく、ユニバーサルジョイントなどの揺動可能な結合が望ましい。
【００２０】
図１ではタオル掛け１３、棚１２ともに平面視円形であり、その中心をその縦バー１１が貫くように取り付けられているが、タオル掛け１３や棚１２が平面視長方形でもその重心を縦バー１１が貫いていればその目的が達成できるのは言うまでもない。さらに、図１では吊り下げ部材１０ｂや縦バー１１が各々１個であるが、複数個あってもよい。最良の形態は、図１に示す棚１２およびタオル掛け１３が縦バー１１を中心として回動することで、所望の収納物１８を簡単に手に取ることができる状態である。
【００２１】
この構成により、壁３の表面に取り付けられる部品は、シャワーなどの飛沫がかかり難い上部の吊り下げ部材１０ｂのみであり、シャワーなどの飛沫がかかる壁３の上下方向中間部〜下部は掃除がしやすく水が滞留し難い、即ち防汚性の高い構成とすることができる。
【００２２】
図２は吊り下げ部材１１ａを天井裏補強材１６ａを裏打ちして天井に取り付けて吊り下げ型収納棚９構成させた。これにより、図１に示す壁３に吊り下げ部材１１ｂを取り付けた場合よりも更に壁３の清掃性の向上を図ることが可能となる。
【００２３】
さらに、吊り下げ型収納棚９の清掃性と使い勝手を向上させるための実施の形態を図３、図４に示す。
【００２４】
まず図３では、天井４に対して天井裏補強材１６ａを裏打ちしてレール１４が固定されている。なおレール１４は、平面視で吊り下げ型収納棚９を配置させたい位置を経由するような軌道を形成するものとしている。例えば、図３に示すように浴室ドア５の近傍、洗い場正面の鏡７の横、床排水口１ａの上などである。
【００２５】
レール１４に挿入されるランナー１５は、レール１４に沿って自由に走行させることが可能であり、そのランナー１５の下端には吊り下げ部材１０ａが係合され、さらにその吊り下げ部材１０ａの下端に縦バー１１が取り付けられることで吊り下げ型収納棚９が構成されている。
【００２６】
ここで吊り下げ型収納棚９の位置が浴室ドア５の近傍であれば洗面所から収納物の取り出しが容易となり、洗い場正面の鏡７の横であれば通常の洗髪や洗体時に使い勝手が良くなり、床排水口１ａの上であれは水切りして落下した水が直ぐに床排水口１ａの中に取り込まれるため、鏡７の下部に位置するカウンター６や床１の不要な湿潤ならびに汚染を避けることが可能となる。
【００２７】
さらに図４では、図３に示す実施の形態と同様に吊り下げ型収納棚９を水平方向に移動可能とするため、天井４に対し、天井裏補強材１６ａを裏打ちしてベース１９を固定し、そのベース１９を中心に水平方向に回動可能にアーム２０を取り付け、そのアーム２０のベース１９側とは反対側の端に吊り下げ部材１０ａを取り付け、吊り下げ部材１０ａの下端に縦バー１１が取り付けられることで吊り下げ型収納棚９が構成されている。これにより前述の図３の実施の形態と同様に清掃性と使い勝手の向上を図ることが可能となる。
【００２８】
なお、ここで収納棚１２の水切りについての実施の形態例を以下に示す。収納棚１２の底部は、縦バー１１が貫通する収納棚１２の中心部に向かって水勾配が付けられた棚底板１２ａで形成されており、その最低部には棚排水口１２ｂが下に向かって開口している。その棚排水口１２ｂから排水された水は縦バー１１を伝い、さらに下に位置する収納棚１２’の棚排水口１２ｂ’へ落下し、更にその下へ落下する。これにより、上部の収納棚１２で水切りされた水が下の収納棚１２’の収納物１８’を濡らしてしまうことを防ぐことが可能となる。
【００２９】
なお、上記棚排水口１２ｂは、収納棚１２の中央部ではなくても、上下の収納棚１２ならびに１２’で平面視同一の場所に位置していれば、同等の効果を発揮することは言うまでもない。
【００３０】
ここで、棚１２ならびにその収納物１８、タオル掛け１３ならびにそれに掛けたタオル２１がシャワーなどの飛沫により濡れたり汚れたりすることを軽減しつつ、使い勝手も損なわないめの発明を説明する。図１〜図４は実は全ての縦バー１１が大きくは上部縦バー１１ａと下部縦バーの２部品で構成されており、上部縦バー１１ａの外周に下部縦バー１１ｂが長さ調節可能（調整機構は図示無し）なように組み合わされている。
【００３１】
このように縦バー１１が上部縦バー１１ａと下部縦バー１１ｂとで長さ調節可能に構成されることにより、収納棚１２の高さを自在に調節することが可能となる。つまり、座って洗髪や洗体する入浴者は収納棚１２を低めに、立って洗髪や洗体する入浴者は収納棚１２を高めに設定することにより、使い勝手を損なわずに収納棚１２が皮脂を含んだ飛沫で濡れてしまうことを防ぐことができる。また、浴室清掃の際には収納棚１２を高めに設定することで同様に収納棚１２が飛沫で濡れてしまうことを防ぐこともできる。もちろん、何ら支持物が無い壁３の清掃が簡単になることは当然のことである。
【００３２】
最後に、吊り下げ型収納棚９を使用する際に懸念されるのは、吊り下げ部材１０ａと縦バー１１との結合部を中心とする揺れである。その懸念を払拭するため、壁３の吊り下げ型収納棚９下端近傍に、壁裏補強材１６ｂを裏打ちして下部サポート１７を取り付け、吊り下げ型収納棚９下端部に着脱自在に結合させることで揺れを防止することも可能である。その実施の形態を図５、図６に示す。
【図面の簡単な説明】
【００３３】
【図１】本発明にかかる浴室ユニットの第一実施形態をあらわす浴室内の斜視図である。
【図２】本発明にかかる浴室ユニットの第二実施形態をあらわす浴室内の斜視図である。
【図３】本発明にかかる浴室ユニットの第三実施形態をあらわす浴室内の斜視図である。
【図４】本発明にかかる浴室ユニットの第四実施形態をあらわす浴室内の斜視図である。
【図５】本発明にかかる浴室ユニットの第五実施形態をあらわす浴室内の斜視図である。
【図６】本発明にかかる浴室ユニットの第六実施形態をあらわす浴室内の斜視図である。
【符号の説明】
【００３４】
０    浴室ユニット
１    床
１ａ  床排水口
２    浴槽
３    壁
４    天井
５    浴室ドア
６    カウンター
７    鏡
９    吊り下げ型収納棚
１０    吊り下げ部材
１０ａ  吊り下げ部材（天井用）
１０ｂ  吊り下げ部材（壁用）
１１    縦バー
１１ａ  上部縦バー
１１ｂ  下部縦バー
１２    棚
１２’  下部棚
１２ａ  棚底板
１２ｂ  棚排水口
１２’  下部棚
１２ａ’下部棚底板
１２ｂ’下部棚排水口
１３    タオル掛け
１４    レール
１５    ランナー
１６ａ  天井裏補強材
１６ｂ  壁裏補強材
１７    下部サポート
１８    収納物
１８’  下部棚の収納物
１９    ベース
２０    アーム
２１    タオル
【図１】
2009226020.tif 000003
【図２】
2009226020.tif 000004
【図３】
2009226020.tif 000005
【図４】
2009226020.tif 000006
【図５】
2009226020.tif 000007
【図６】
2009226020.tif 000008